(57)【要約】【課題】プラスチックフィルムからなる包装容器のうち、印刷層を有しないプラスチックフィルム等に、プラスチックの識別表示マークや材質表示を刻印し、印刷を行わなくてもプラスチックの識別表示マーク等を付与した包装袋を提供すること。【解決手段】プラスチックフィルム２の必要箇所がヒートシールされて形成される袋であって、該ヒートシール部３に少なくとも１つのプラスチックの識別表示マーク５、及び／又は、プラスチックの材質表示６が刻印されていることを特徴とする包装袋１。【選択図】      図１
2004284594.tif 000002
【特許請求の範囲】
【請求項１】
プラスチックフィルム２の必要箇所がヒートシールされて形成される袋であって、該ヒートシール部３に少なくとも１つのプラスチックの識別表示マーク５、及び／又は、プラスチックの材質表示６が刻印されていることを特徴とする包装袋１。
【請求項２】
プラスチックフィルム２に印刷がなされていないことを特徴とする請求項１に記載の包装袋１。
【請求項３】
請求項１または請求項２に記載の包装袋１を製造する方法であって、プラスチックフィルム２の必要箇所に熱板を押し当ててプラスチックフィルム同士をヒートシールする工程、ヒートシール部３に、刻印しようとするパターンが彫り込まれた冷却板を兼ねた刻印板を押し当て、ヒートシール部３に少なくとも１つのプラスチックの識別表示マーク５、及び／又は、プラスチックの材質表示６を刻印する工程をこの順で含むことを特徴とする包装袋１の製造方法。
【発明の詳細な説明】
【０００１】
【発明の属する技術分野】
本発明は、プラスチックの識別表示マーク等を有するプラスチックフィルムからなる包装袋に関するものである。
【０００２】
【従来の技術】
従来、プラスチックフィルムからなる包装袋は、食品、雑貨等を収納し、家庭用やまた産業用としてあらゆる分野の個包装として使用されている。このようなプラスチックフィルムからなる包装袋は、我々の日常生活と切り離すことが出来ないものになっている。
一方、プラスチック等の包装容器の廃棄、処理が問題にされるようになってきており、ゴミの分別処理をできるだけ正確に行うことが要望されている。このような容器包装の分別回収を促進するため「容器包装リサイクル法」ができ、平成１３年４月から「資源の有効な利用の促進に関する法律」に基づいてプラスチック製容器包装への「識別表示」が義務付けられることになった。
【０００３】
プラスチックの包装容器を製造する製造業者では、プラスチックの包装容器に識別表示マークを付与する作業が行われており、プラスチック成形品へ識別表示マークを刻印したり、プラスチックフィルムへ識別表示マークを印刷したり、また、識別表示マークを付与したラベルをプラスチックの包装容器に貼り付ける等して対応している。
【０００４】
しかしながら、印刷の必要がない無地のプラスチックフィルムにわざわざ識別表示マークを印刷することは非常に手間がかかることであり、何より、印刷がされたプラスチックフィルムは無地のプラスチックフィルムと比べてリサイクルが容易ではない。
「資源の有効な利用の促進に関する法律」には、無地のプラスチックフィルムからなる包装容器には識別表示マークの付与は義務付けられていないものの、一般の消費者や分別回収業者からは、プラスチックゴミを出すときの分別を容易にし、分別収集を促進するためにも、無地のプラスチックフィルムからなる包装容器にも識別表示マークを付与してほしいという要望が強かった。
【０００５】
また、デザイン性を重視したような印刷がされたプラスチックフィルムにおいても、識別表示マーク等の機能的な表示を加えて印刷することは、デザイン性が損なわれるといった不都合が生じる場合があり、見栄えが悪く、敬遠されがちであった。
【０００６】
他方、プラスチックフィルムをヒートシールして形成した袋のヒートシール部に、目の不自由な人でも内容物を識別したり、開封切除部分を識別することができる点字を設けたものがある（例えば、特許文献１参照。）。しかしながら、点字や、開封するための場所を示す印や、内容物を識別するための印等といった触覚判断できるような凸部や凹部を付与した袋はあったが、触覚だけでなく視覚で識別できる凸部や凹部を付与した袋はなかった。
【０００７】
【特許文献１】
実開昭６１−１７２０３０号公報
【０００８】
【発明が解決しようとする課題】
本発明は、プラスチックフィルムからなる包装容器に、識別表示マークを刻印した包装袋を提供しようとするものである。
【０００９】
【課題を解決するための手段】
本発明者らは鋭意研究を行った。この結果、ヒートシール部分に識別表示マークを刻印することにより上記課題が解決された包装袋が得られることを見いだし本発明に至った。すなわち本発明によれば、
プラスチックフィルム２の必要箇所がヒートシールされて形成される袋であって、該ヒートシール部３に少なくとも１つのプラスチックの識別表示マーク５、及び／又は、プラスチックの材質表示６が刻印されている包装袋１が提供され、更に、プラスチックフィルム２に印刷がなされていない包装袋１が提供され、また、上記包装袋１を製造する方法であって、プラスチックフィルム２の必要箇所に熱板を押し当ててプラスチックフィルム同士をヒートシールする工程、ヒートシール部３に、刻印しようとするパターンが彫り込まれた冷却板を兼ねた刻印板を押し当て、ヒートシール部３に少なくとも１つのプラスチックの識別表示マーク５、及び／又は、プラスチックの材質表示６を刻印する工程をこの順で含む包装袋１の製造方法が提供される。
【００１０】
【実施の形態】
以下、本発明の包装袋１について説明する。
本発明の包装袋１は、プラスチックフィルム２の必要箇所がヒートシールされて形成される袋であって、該ヒートシール部３にプラスチックの識別表示マーク５及び／又はプラスチックの材質表示６を刻印している。包装袋の形態は、プラスチックフィルム２の周縁部等の必要箇所がヒートシールされて形成される袋であればどのような形態も用いることができる。例えば、二枚のプラスチックフィルムを重ね合わせて周縁部をヒートシールして形成した三方シール袋（図１参照）、四方シール袋や、一枚のプラスチックフィルムを筒状に形成してフィルムの合わせ目をセンターにし、ヒートシールして形成したピロー包装袋、また自立袋、ガゼット袋等である。
【００１１】
なお、ここでいう「必要箇所」とは、プラスチックフィルムから袋に形成するためにフィルム同士を重ね合わせてヒートシールをすべき箇所のことであり、例えば、ピロー包装袋のような一枚のプラスチックフィルムを筒状に形成してフィルムの合わせ目をセンターにしてヒートシールした「センターシール」も「必要箇所」に含まれるものである。
【００１２】
本発明の包装袋１に用いるプラスチックフィルム２の樹脂構成は、特に限定されず、ポリエチレン、ポリプロピレン、ポリエステル、ポリアミド、エチレン−酢酸ビニル共重合体、ナイロン等が用いられる。これらの樹脂を用いたプラスチックフィルムは、インフレーション押出成形法や、Ｔダイ押出成形法等によって得られたものである。
【００１３】
また、プラスチックフィルム２は単層のものでもよいし、共押出法やドライラミネーション法、押出ラミネーション法等によって得られた多層のものであってもよいが、ヒートシールを行うときに、フィルムの当接する面同士はヒートシール可能な合成樹脂からなるように構成されていなければならない。
【００１４】
更に、印刷層を有さない無地のプラスチックフィルムが好適である。即ち本発明が奏する印刷によらなくてもプラスチックの識別表示マーク等を表示できるという効果を生かし、リサイクル性を低下させなくてすむ。
【００１５】
次に、図面を用いてより詳細に説明する。
図１は本発明の包装袋１の一実施例である。ヒートシール部分が両側辺、底辺の三方に設けられた三方シール袋のうち、底辺のヒートシール部３にプラスチックの識別表示マーク５、及びプラスチックの材質表示６を示した刻印を設けている。本図では三方シール袋を用いているが、これに限定されない。
【００１６】
図２は本発明の包装袋１の一実施例を示すものであり、図１の要部を示すものである。プラスチックの識別表示マーク５と、包装容器に使用されているプラスチックの材質を示すためのプラスチックの材質表示６が刻印されている。図１、２で示した材質表示６では、ポリエチレンの単層フィルムであるという意味をなすものである。この材質表示６は、当然のことながら「ＰＥ」という表示に限定されず、使用するプラスチックの樹脂構成によって適宜決定されるものである。なお、本発明の包装袋１に刻印するプラスチックの識別表示マーク５、及びプラスチックの材質表示６は、ヒートシールが施されている部分であればどの位置に設けてもよく、また、その数も１つに限らず、複数の刻印を設けてもよく、適宜決定される。
【００１７】
次いで、本発明の包装袋１の製造方法について説明する。
本発明の包装袋１は、任意の袋の形態となるようにプラスチックフィルム２の必要箇所に熱板を押し当ててプラスチックフィルム同士をヒートシールし、該ヒートシール部３に、刻印しようとするパターンが彫り込まれた冷却板を兼ねた刻印板を押し当て、ヒートシール部３に少なくとも１つのプラスチックの識別表示マーク５、及び／又は、プラスチックの材質表示６を刻印する。
【００１８】
例えば図１の三方シール袋をもとに説明すると、まずプラスチックフィルム２を二枚重ね、両側辺、底辺の三方に熱板を押し当ててプラスチックフィルム同士をヒートシールし、熱を持ったヒートシール部３を冷却させるために冷却板を押し当てる。この冷却板は、刻印しようとするパターンが彫り込まれた刻印板も兼ねており、ヒートシール部３にプラスチックの識別表示マーク５及びプラスチックの材質表示６を刻印する。
【００１９】
また、熱を持ったヒートシール部３を冷却するために冷却板を兼ねた刻印板を押し当てる工程は、その押し当てる手段を一回に限定することなく、例えば二回に分けて、冷却板を兼ねた刻印板を押し当てて刻印を行うと同時にプラスチックの軟化点付近まで冷却した後に、再度冷却板のみを押し当てて完全に冷却するといった変形も可能である。
【００２０】
刻印板のパターンは、プラスチックフィルム２に刻印したときに、プラスチックの識別表示マーク５や材質表示６が浮き出たような凸形状となるように形成してもよいし、彫り込んだような凹形状となるように形成してもよい。
【００２１】
熱板による溶着と共に刻印を設けた場合には、プラスチックフィルムが高温によって変形しやすく刻印しようとする識別表示マークや材質表示が潰れたりして鮮明に形成できない可能性があるが、このように冷却板と共に冷却しながら刻印を設けることによって、鮮明かつ美麗に仕上げることができる。
【００２２】
【発明の効果】
以上説明したように本発明によれば、プラスチックフィルム２からなる包装容器に、識別表示マーク５等を刻印した包装袋が提供される。このような特長を有する本発明の包装袋は識別表示マーク５等を印刷して表示しなくても、プラスチックゴミの分別や収集が確実にかつ迅速に行え、しかもリサイクル性に優れるものである。
【図面の簡単な説明】
【図１】本発明の包装袋１を示す模式図である。
【図２】本発明の包装袋１を示す模式図であり、図１の要部を示すものである。
【符号の説明】
１    包装袋
２    プラスチックフィルム
３    ヒートシール部
４    刻印
５    識別表示マーク
６    材質表示
【図１】
2004284594.tif 000003
【図２】
2004284594.tif 000004